(57)【要約】      （修正有）【課題】簡単な作業で枕の高さを微調整することができ、使用者が安眠することを可能にした枕置き具を提供する。【解決手段】枕置き具１は、台座１０と、載置材２０と、左右一対の昇降機構３０と、を備えている。台座１０が備えている左右一対の支持材１２は、それぞれ、前後一対の支柱１２０を備えている。載置材２０は、左右一対の支持材１２の間に架け渡されている。左右一対の昇降機構３０は、それぞれ、前後一対の支柱１２０に架け渡され、前方寄りの部分に形成されているＺ巻きの第１のネジ溝３００ａと、後方寄りの部分に形成されているＳ巻きの第２のネジ溝３００ｂと、を有している送りネジ３００と、送りネジ３００における第１のネジ溝３００ａの部分及び第２のネジ溝３００ｂの部分に一つずつ取り付けられている前後一対のスライダー３０１と、前後一対のスライダー３０１に載置材２０を吊り下げている前後一対のアーム３０２と、を有している。【選択図】図５
2019033865.tif 000002
【特許請求の範囲】
【請求項１】
基材、及び該基材の両脇に立設されている左右一対の支持材を有している台座と、
前記左右一対の支持材の間に架け渡されており、枕が載置される載置材と、
前記左右一対の支持材に一つずつ設けられ、前記載置材を昇降させる左右一対の昇降機構と、を備え、
前記左右一対の支持材は、それぞれ、前後一対の支柱を有し、
前記左右一対の昇降機構は、それぞれ、
前記前後一対の支柱に架け渡されている送りネジであって、前方寄りの部分及び後方寄りの部分の一方に形成されているＺ巻きの第１のネジ溝と、前方寄りの部分及び後方寄りの部分の他方に形成されているＳ巻きの第２のネジ溝と、を有している送りネジと、
前記送りネジにおける前記第１のネジ溝の部分及び前記第２のネジ溝の部分に一つずつ取り付けられている前後一対のスライダーであって、該送りネジの回転に伴って互いに近付き又は遠退くように移動する前後一対のスライダーと、
前記前後一対のスライダーに前記載置材を吊り下げている前後一対のアームであって、一端が、前記前後一対のスライダーに回転可能に取り付けられていると共に、他端が、前記載置材に回転可能に取り付けられている前後一対のアームと、を有していることを特徴とする
枕置き具。
【発明の詳細な説明】
【技術分野】
【０００１】
本発明は、就寝時などに枕を置いておくための枕置き具に関する。
【背景技術】
【０００２】
特許文献１には、使用者の好みに合わせて枕の高さを調整することができる枕置き具が開示されている。この枕置き具は、台座と、帯材と、一対の調整材と、を備えている。台座は、左右一対の支持材を備え、左右一対の支持材は、帯材の端部が挿通される挿通孔部を有している。帯材は、長手方向の端部における長手方向に並んだ複数の箇所に、幅方向に延びている貫通孔部を備えている。調整材は、任意の貫通孔部に差し込まれて、支持材における挿通孔部の外側に引っ掛かる。
【０００３】
この枕置き具において、帯材に載せた枕置き具の高さの調整は、帯材の端部にある貫通孔部に対して調整材を抜差しすることで行われる。このような枕置き具によれば、貫通孔部が複数の箇所にあるので、帯材に載せた枕の高さを幾通りにも変えることができる。
【０００４】
特許文献２には、利用者の希望に合わせて枕本体の高さを調節することができる医療用枕が開示されている。この医療用枕は、枠体と、支持部材と、調節機構と、枕本体と、を備えている。枠体は、左右一対の縦梁部材を備えている。支持部材は、一端が一方の縦梁部材に直接取り付けられると共に、他端が他方の縦梁部材に調節機構を介して取り付けられることで、左右一対の縦梁部材の間に架け渡される。調節機構は、長筒体が縦梁部材に回転可能で且つ当該回転が４箇所で停止可能に取り付けられ、長筒体が回転することで支持部材を巻き取ったり繰り出したりして、支持部材の長さを変更する。枕本体は、左右一対の縦梁部材の間に架け渡された支持部材の上に配置される。
【０００５】
この医療用枕において、枕本体の高さの調節は、長筒体の回転及び停止で支持部材の巻取り及び繰出しをすることで行われる。このような医療用枕によれば、調節機構の回転が４箇所で停止可能であるので、支持部材に載せた枕本体の高さを４通りに変えることができる。なお、長筒体の回転及び停止には、長筒体の抜差しが伴う。
【先行技術文献】
【特許文献】
【０００６】
【特許文献１】特許第６１３７５８５号公報
【特許文献２】特開２０００−０９３２７６号公報
【発明の概要】
【発明が解決しようとする課題】
【０００７】
しかしながら、特許文献１に記載の枕置き具、及び特許文献２に記載の医療用枕は、多段階又は４段階で枕又は枕本体の高さを変えることができるものの、枕又は枕本体の高さを微調整することができるものではない。また、これらの枕置き具及び医療用枕は、枕又は枕本体の高さを変える際に、調整材又は長筒体の抜差しが伴うので、作業にひと手間を要する。さらに、上記の医療用枕は、利用者が愛用する枕とはそもそも別物の枕本体を有するものであり、利用者の希望に合わせて枕本体の高さを調節することができるからといって、利用者が安眠することができるものではない。
【０００８】
本発明は、上記課題を鑑みてなされたものであり、簡単な作業で枕の高さを微調整することができ、使用者が安眠することを可能にした枕置き具を提供することを目的とする。
【課題を解決するための手段】
【０００９】
本発明は、基材、及び該基材の両脇に立設されている左右一対の支持材を有している台座と、前記左右一対の支持材の間に架け渡されており、枕が載置される載置材と、前記左右一対の支持材に一つずつ設けられ、前記載置材を昇降させる左右一対の昇降機構と、を備え、前記左右一対の支持材は、それぞれ、前後一対の支柱を有し、前記左右一対の昇降機構は、それぞれ、前記前後一対の支柱に架け渡されている送りネジであって、前方寄りの部分及び後方寄りの部分の一方に形成されているＺ巻きの第１のネジ溝と、前方寄りの部分及び後方寄りの部分の他方に形成されているＳ巻きの第２のネジ溝と、を有している送りネジと、前記送りネジにおける前記第１のネジ溝の部分及び前記第２のネジ溝の部分に一つずつ取り付けられている前後一対のスライダーであって、該送りネジの回転に伴って互いに近付き又は遠退くように移動する前後一対のスライダーと、前記前後一対のスライダーに前記載置材を吊り下げている前後一対のアームであって、一端が、前記前後一対のスライダーに回転可能に取り付けられていると共に、他端が、前記載置材に回転可能に取り付けられている前後一対のアームと、を有していることを特徴とする枕置き具である。
【００１０】
本発明によれば、使用者が愛用する枕など、既存の枕を載置材に載せて枕の高さを微調整することができる。具体的に、送りネジを回転させるだけで、その回転量に応じて枕の高さを無段階で調整することができる。
【００１１】
ところで、頭寒足熱は健康によいと言われているが、本発明の枕置き具によれば、枕の高さを高くして頭寒足熱の状態を簡単に作り出すことができる。
【００１２】
なお、使用者の生命及び財産を守るため、枕置き具は、電気製品（例えば、電気毛布やホットカーペット）の上で使用することは好まれない。枕置き具の重みで電気毛布などが圧迫されることで当該電気毛布などが不良となり、危ないからである。このため、枕置き具の使用には注意を払う必要がある。また、安心安全のため、左右一対の支持材にクッションカバーをかけることで、怪我の防止を図ることが望まれる。
【発明の効果】
【００１３】
本発明の枕置き具は、簡単な作業で枕の高さを微調整することができ、使用者が安眠することを可能にする。
【図面の簡単な説明】
【００１４】
【図１】本発明の一実施形態に係る枕置き具の正面図である。
【図２】図１に示す枕置き具の側面図である。
【図３】図１に示す枕置き具の平面図である。
【図４】図３に示す矢印IV−IV方向に視た枕置き具の断面図である。
【図５】図３に示す矢印Ｖ−Ｖ方向に視た枕置き具の断面図である。
【図６Ａ】図１に示す枕置き具が備えている昇降機構の動作を説明する模式図であり、載置材が下降した状態を示す。
【図６Ｂ】図１に示す枕置き具が備えている昇降機構の動作を説明する模式図であり、載置材が上昇した状態を示す。
【図７】図１に示す枕置き具の使用状態図である。
【発明を実施するための形態】
【００１５】
以下、図面を参照して、本発明の一実施形態に係る枕置き具１について詳細に説明する。
【００１６】
まず、図１〜図７を用いて、枕置き具１について説明する。図１は、枕置き具１の正面図である。図２は、枕置き具１の側面図である。図３は、枕置き具１の平面図である。図４は、図３に示す矢印IV−IV方向に視た枕置き具１の断面図である。図５は、図３に示す矢印Ｖ−Ｖ方向に視た枕置き具１の断面図である。図６Ａは、昇降機構３０の動作を説明する模式図であり、載置材２０が下降した状態を示す。図６Ｂは、昇降機構３０の動作を説明する模式図であり、載置材２０が上昇した状態を示す。図７は、枕置き具１の使用状態図である。なお、各図において、一部の構成を適宜省略して、図面を簡略化する。
【００１７】
図１〜図７に示す枕置き具１は、就寝時などに、使用者ＭＡＮ（図７参照）が使用する枕ＰＩＬ（図７参照）の高さを自由に調整するものである。具体的に、枕置き具１は、台座１０と、載置材２０と、左右一対の昇降機構３０と、を備えている。
【００１８】
図１〜図５及び図７に示す台座１０は、基材１１と、左右一対の支持材１２と、を備えている。
【００１９】
基材１１は、例えばヒノキ材で、例えば縦４００ｍｍ×横７２０ｍｍ×高さ１２ｍｍの外寸を有し、布団（図示省略）の上に載置される。
【００２０】
左右一対の支持材１２は、基材１１の両脇に立設されている。これら左右一対の支持材１２は、それぞれ、前後一対の支柱１２０と、補強材１２１と、中間の支柱１２２と、上材１２３と、を備えている。
【００２１】
前後一対の支柱１２０は、例えばヒノキ材で、例えば縦３０ｍｍ×横６０ｍｍ×高さ９８ｍｍの外寸を有している。これら前後一対の支柱１２０は、基材１１の前後の角にボルト（図示省略）等によって固定されることで、基材１１の前後の角に立設されている。
【００２２】
補強材１２１は、例えばヒノキ材で、例えば縦３４０ｍｍ×横３０ｍｍ×高さ４０ｍｍの外寸を有している。この補強材１２１は、基材１１の左端又は右端における前後一対の支柱１２０の間にボルト（図示省略）等によって固定されることで、基材１１の左端又は右端における前後一対の支柱１２０の間に配置されている。
【００２３】
中間の支柱１２２は、例えばヒノキ材で、例えば縦３０ｍｍ×横３０ｍｍ×高さ９８ｍｍの外寸を有している。この支柱１２２は、補強材１２１に隣接するように前後一対の支柱１２０の間に配置されて、基材１１にボルト（図示省略）等によって固定されることで、補強材１２１に隣接するように前後一対の支柱１２０の間に立設されている。
【００２４】
上材１２３は、例えばヒノキ材で、例えば縦４００ｍｍ×横６０ｍｍ×高さ１５ｍｍの外寸で、当該上材１２３の上面の角が面取りされた形状を有している。この上材１２３は、前後一対の支柱１２０の間に架け渡されるように配置されて、前後一対の支柱１２０及び中間の支柱１２２にボルト（図示省略）等によって固定されることで、前後一対の支柱１２０及び中間の支柱１２２の上に配置されている。
【００２５】
図７に示すように、このような左右一対の支持材１２は、クッションカバーＣＯＶを被せることが可能である。
【００２６】
図１、図３〜図７に示す載置材２０は、左右一対の支持材１２の間に昇降可能に架け渡されており、枕ＰＩＬが載置される。具体的に、載置材２０は、３枚の渡し材２００と、左右一対の連結材２０１と、を備えている。
【００２７】
３枚の渡し材２００は、例えばヒノキ材で、例えば縦８５ｍｍ×横６５０ｍｍ×高さ１２ｍｍの外寸を有している。これら３枚の渡し板２００は、互いに間隔を空けて互いに平行に配置されている。
【００２８】
左右一対の連結材２０１は、例えば金物で、例えば縦３３０ｍｍ×横１５ｍｍ×高さ１５ｍｍの外寸を有している。これら左右一対の連結材２０１は、３枚の渡し材２００の左右の端部に３枚の渡し材２００にまたがるように配置されて、３枚の渡し材２００にボルト（図示省略）等によって固定されることで、３枚の渡し板２００を連結している。
【００２９】
図１〜図７に示す左右一対の昇降機構３０は、左右一対の支持材１２に一つずつ設けられ、載置材２０を昇降させる。具体的に、左右一対の昇降機構３０は、それぞれ、送りネジ３００と、前後一対のスライダー３０１と、前後一対のアーム３０２と、を備えている。
【００３０】
送りネジ３００は、前方の支柱１２０及び中間の支柱１２２を貫通すると共に後方の支柱１２０に突き刺さるように配置されることで、前後一対の支柱１２０及び中間の支柱１２２の間に回転可能に架け渡されている。この送りネジ３００は、全長が約４００ｍｍで、第１のネジ溝３００ａと、第２のネジ溝３００ｂと、を有している。第１のネジ溝３００ａは、前方の支柱１２０と中間の支柱１２２との間に位置する前方寄りの部分に形成されているＺ巻き（右ネジ）の溝である。第２のネジ溝３００ｂは、中間の支柱１２２と後方の支柱１２０との間に位置する後方寄りの部分に形成されているＳ巻き（左ネジ）の溝である。このような送りネジ３００は、ツマミを手動で回すことで回転する。
【００３１】
前後一対のスライダー３０１は、送りネジ３００における第１のネジ溝３００ａの部分及び第２のネジ溝３００ｂの部分に一つずつ取り付けられている。前方のスライダー３０１は、Ｚ巻き（右ネジ）の雌ネジ溝が形成されている。後方のスライダー３０１は、Ｓ巻き（左ネジ）の雌ネジ溝が形成されている。これら前後一対のスライダー３０１は、送りネジ３００の左回転に伴って互いに近付くように移動する一方で、送りネジ３００の右回転に伴って互いに遠退くように移動する。
【００３２】
前後一対のアーム３０２は、前後一対のスライダー３０１に載置材２０を吊り下げている。これら前後一対のアーム３０２は、一端が、前後一対のスライダー３０１に回転可能に取り付けられていると共に、他端が、載置材２０に回転可能に取り付けられている。
【００３３】
次に、図６Ａ及び図６Ｂを用いて、昇降機構３０の動作を説明する。ここでは、左右一対の昇降機構３０の一方について説明するが、他方についても同様の動作を行わせることで、載置材２０を水平に維持したまま昇降させることができる。
【００３４】
図６Ａに示すように、前後一対のアーム３０２が鉛直に垂れ下がっていて載置材２０が下降した状態において、送りネジ３００のツマミを手動で右に回すことで、送りネジ３００が右回転する。図６Ｂに示すように、送りネジ３００が右回転することで、前方のスライダー３０１が前方（図６Ａ及び図６Ｂにおける左方）に移動すると共に後方のスライダー３０１が後方（図６Ａ及び図６Ｂにおける右方）に移動する。前後一対のスライダー３０１が前後に移動することで、前後一対のアーム３０２は、前後一対のスライダー３０１に取り付けられている上方の部分が前後一対のスライダー３０１に追従して移動して、逆ハの字となる斜めに傾斜した状態になる。前後一対のアーム３０２が逆ハの字となるように斜めに傾斜した状態になることで、載置材２０が上昇した状態になる。
【００３５】
図６Ｂに示すように、前後一対のアーム３０２が逆ハの字となるように斜めに傾斜していて載置材２０が上昇した状態において、送りネジ３００のツマミを手動で左に回すことで、送りネジ３００が左回転する。図６Ａに示すように、送りネジ３００が左回転することで、前方のスライダー３０１が後方（図６Ａ及び図６Ｂにおける右方）に移動すると共に後方のスライダー３０１が前方（図６Ａ及び図６Ｂにおける左方）に移動する。前後一対のスライダー３０１が前後に移動することで、前後一対のアーム３０２は、前後一対のスライダー３０１に取り付けられている上方の部分が前後一対のスライダー３０１に追従して移動して、鉛直に垂れ下がった状態になる。前後一対のアーム３０２が鉛直に垂れ下がった状態になることで、載置材２０が下降した状態になる。
【００３６】
ここでは、載置材２０が上限及び下限の一方の高さから他方の高さまで昇降する場合を説明したが、送りネジ３００の回転を途中で停止することで、載置材２０を任意の高さに位置させることができる。
【００３７】
以上説明したように、このような枕置き具１によれば、使用者ＭＡＮが愛用する枕ＰＩＬなど、既存の枕ＰＩＬを載置材２０の渡し板２００に載せて枕ＰＩＬの高さを微調整することができる。具体的に、送りネジ３００を回転させるだけで、その回転量に応じて枕ＰＩＬの高さを無段階で調整することができる。
【００３８】
ところで、頭寒足熱は健康によいと言われているが、枕置き具１によれば、枕ＰＩＬの高さを高くして頭寒足熱の状態を簡単に作り出すことができる。
【００３９】
なお、使用者ＭＡＮの生命及び財産を守るため、枕置き具１は、電気製品（例えば、電気毛布やホットカーペット）の上で使用することは好まれない。枕置き具１の重みで電気毛布などが圧迫されることで当該電気毛布などが不良となり、危ないからである。このため、枕置き具１の使用には注意を払う必要がある。また、安心安全のため、左右一対の支持材１２にクッションカバーＣＯＶをかけることで、怪我の防止を図ることができる。
【００４０】
このように、枕置き具１は、使用者ＭＡＮが安眠することを可能にする。
【００４１】
なお、本発明は、上記実施形態に限定されるものではなく、その趣旨及び技術思想を逸脱しない範囲で種々の変更が可能である。すなわち、各構成の位置、大きさ、長さ、形状、材質などは適宜変更できる。
【００４２】
例えば、上記実施形態において、前後一対のスライダー３０１が、送りネジ３００の左回転に伴って互いに近付くように移動する一方で、送りネジ３００の右回転に伴って互いに遠退くように移動する場合を例に説明したが、本発明はこれに限定されるものではない。すなわち、上記実施形態において、前後一対のスライダー３０１が、送りネジ３００の左回転に伴って互いに遠退くように移動する一方で、送りネジ３００の右回転に伴って互いに近付くように移動するようにしてもよい。この場合、送りネジ３００は、第１のネジ溝３００ａをＳ巻きの溝にすると共に第２のネジ溝３００ｂをＺの巻きの溝にし、かつ前方のスライダー３０１にＳ巻きの雌ネジ溝を形成すると共に後方のスライダー３０１にＺ巻きの雌ネジ溝を形成することになる。
【００４３】
あるいは、上記実施形態において、左右一対の昇降機構３０が互いに独立して動作する場合を例に説明したが、連動機構等を備えさせることで、左右一対の昇降機構３０を互いに連動させて動作させるようにしてもよい。
【００４４】
あるいは、上記実施形態において、送りネジ３００のツマミを手動で回す場合を例に説明したが、スイッチ及びモーター等を備えさせることで、送りネジ３００を自動で回すようにしてもよい。
【符号の説明】
【００４５】
１  枕置き具
１０  台座
１１  基材
１２  支持材
１２０  支柱
１２１  補強材
１２２  支柱
１２３  上材
２０  載置材
２００  渡し板
２０１  連結材
３０  昇降機構
３００  送りネジ
３００ａ  第１のネジ溝
３００ｂ  第２のネジ溝
３０１  スライダー
３０２  アーム
ＭＡＮ  使用者
ＰＩＬ  枕
ＣＯＶ  クッションカバー
【図１】
2019033865.tif 000003
【図２】
2019033865.tif 000004
【図３】
2019033865.tif 000005
【図４】
2019033865.tif 000006
【図５】
2019033865.tif 000007
【図６Ａ】
2019033865.tif 000008
【図６Ｂ】
2019033865.tif 000009
【図７】
2019033865.tif 000010
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
枕を載せて使用する枕置き具であって、
基材、及び該基材の両脇に立設されている左右一対の支持材を有している台座と、
前記左右一対の支持材の間に架け渡されており、枕が載置される載置材と、
前記左右一対の支持材に一つずつ設けられ、前記載置材を昇降させる左右一対の昇降機構と、を備え、
前記左右一対の支持材は、それぞれ、前後一対の支柱を有し、
前記左右一対の昇降機構は、それぞれ、
前記前後一対の支柱に架け渡されている送りネジであって、前方寄りの部分及び後方寄りの部分の一方に形成されているＺ巻きの第１のネジ溝と、前方寄りの部分及び後方寄りの部分の他方に形成されているＳ巻きの第２のネジ溝と、を有している送りネジと、
前記送りネジにおける前記第１のネジ溝の部分及び前記第２のネジ溝の部分に一つずつ取り付けられている前後一対のスライダーであって、該送りネジの回転に伴って互いに近付き又は遠退くように移動する前後一対のスライダーと、
前記前後一対のスライダーに前記載置材を吊り下げている前後一対のアームであって、一端が、前記前後一対のスライダーに回転可能に取り付けられていると共に、他端が、前記載置材に回転可能に取り付けられている前後一対のアームと、を有していることを特徴とする
枕置き具。
【手続補正２】
【補正対象書類名】明細書
【補正対象項目名】０００９
【補正方法】変更
【補正の内容】
【０００９】
本発明は、枕を載せて使用する枕置き具であって、基材、及び該基材の両脇に立設されている左右一対の支持材を有している台座と、前記左右一対の支持材の間に架け渡されており、枕が載置される載置材と、前記左右一対の支持材に一つずつ設けられ、前記載置材を昇降させる左右一対の昇降機構と、を備え、前記左右一対の支持材は、それぞれ、前後一対の支柱を有し、前記左右一対の昇降機構は、それぞれ、前記前後一対の支柱に架け渡されている送りネジであって、前方寄りの部分及び後方寄りの部分の一方に形成されているＺ巻きの第１のネジ溝と、前方寄りの部分及び後方寄りの部分の他方に形成されているＳ巻きの第２のネジ溝と、を有している送りネジと、前記送りネジにおける前記第１のネジ溝の部分及び前記第２のネジ溝の部分に一つずつ取り付けられている前後一対のスライダーであって、該送りネジの回転に伴って互いに近付き又は遠退くように移動する前後一対のスライダーと、前記前後一対のスライダーに前記載置材を吊り下げている前後一対のアームであって、一端が、前記前後一対のスライダーに回転可能に取り付けられていると共に、他端が、前記載置材に回転可能に取り付けられている前後一対のアームと、を有していることを特徴とする枕置き具である。